(57)【要約】【課題】被記録媒体に着弾したインクに対して電磁波を照射させてインクを硬化させる際のエネルギー効率を考慮した記録装置を提供すること。【解決手段】記録装置（１）は、被記録媒体（Ｐ）を送り方向Ｙへ送る送り手段（２）と、被記録媒体に対してノズル（６）からインクＬ１を吐出し記録する記録ヘッド（５）と、被記録媒体を基準とした前記記録ヘッドと同じ側であって、前記記録ヘッドより送り方向下流側に設けられ、前記インクを硬化させる電磁波（Ｗ）を照射可能な照射部（１６）と、を備え、該照射部（１６）は、被記録媒体が送られる方向に対する幅方向Ｘにおいて、被記録媒体より広い範囲を照射可能であり、該照射部における照射する部分が少なくとも幅方向Ｘにおいて複数のブロック１６ａ、１６ｂ…に区画されている構成であることを特徴とする。【選択図】図３
2012143958.tif 000002
【特許請求の範囲】
【請求項１】
被記録媒体を送り方向へ送る送り手段と、
被記録媒体に対してノズルからインクを吐出し記録する記録ヘッドと、
被記録媒体を基準とした前記記録ヘッドと同じ側であって、前記記録ヘッドより送り方向下流側に設けられ、前記インクを硬化させる電磁波を照射可能な照射部と、を備え、
前記インクと前記電磁波との関係は、前記電磁波の照射により前記インクに化学反応が生じることによって前記インクが硬化する関係であり、
前記照射部は、被記録媒体が送られる方向に対する幅方向において、被記録媒体より広い範囲を照射可能であり、該照射部における照射する部分が少なくとも幅方向において複数のブロックに区画されている構成である記録装置。
【請求項２】
請求項１に記載の記録装置において、前記照射部が前記照射するとき、
記録データ上における前記照射しようとする箇所の単位面積当たりのインクが着弾する量に応じて、前記照射部において前記ブロック毎に照射量を変える構成であり、
前記着弾する量が少ない箇所に対しては対向するブロックの前記照射量を少なくし、前記着弾する量が前記少ない箇所と比較して多い箇所に対しては対向するブロックの前記照射量を前記少ない箇所の場合と比較して多くすることを特徴とする記録装置。
【請求項３】
請求項２に記載の記録装置において、前記照射部の前記照射する部分は、被記録媒体の幅方向に複数行、送り方向に複数列のブロックに区画されており、
前記照射部の送り方向における照射可能な範囲の距離だけ被記録媒体を送り一時停止を繰り返す間欠送りをする構成であり、
前記一時停止したとき、前記照射部が前記照射する構成である記録装置。
【請求項４】
請求項２に記載の記録装置において、被記録媒体を所定の速度で連続して送る構成であり、前記照射部は、送られてくる被記録媒体におけるインクが着弾した箇所に対して、該箇所の前記着弾する量に応じて前記ブロック毎に照射量を変えながら前記照射する構成である記録装置。
【請求項５】
請求項１から４のいずれか１項に記載の記録装置において、インクの種類に応じて、前記照射部が前記照射する電磁波の量を変える構成である記録装置。
【発明の詳細な説明】
【技術分野】
【０００１】
本発明は、記録ヘッドからインクを吐出し、被記録媒体に着弾したインクに対して電磁波を照射して前記インクを化学反応によって硬化させる記録装置に関する。  
本願において、記録装置には、インクジェットプリンター、ラインプリンター、複写機、ファクシミリ等の種類が含まれるものとする。
【背景技術】
【０００２】
従来では、特許文献１および特許文献２に示す如く、インクジェットプリンターは、記録ヘッドと、該記録ヘッドの近傍に設けられた紫外線照射部と、を備えていた。このうち、前記記録ヘッドは、用紙に対して紫外線硬化型インクを吐出するノズルを有していた。また、前記紫外線照射部は、用紙を基準とした前記記録ヘッドと同じ側に設けられていた。  
従って、用紙に着弾したインクに対して紫外線を照射することにより、インクを硬化させることができた。
【先行技術文献】
【特許文献】
【０００３】
【特許文献１】特開２００５−１０４１０８号公報
【特許文献２】特開２００４−３１４３０４号公報
【発明の概要】
【発明が解決しようとする課題】
【０００４】
しかしながら、紫外線照射部は記録ヘッドを有するキャリッジに設けられており、紫外線照射部が、インクが着弾した直後の箇所に対して、ただ単に紫外線を照射する構成であった。そのため、狭い範囲に対して紫外線が照射され、エネルギー効率が十分ではなかった。また、照射する紫外線の量は一定であったため、必要以上に照射される箇所が生じるため、エネルギー効率が十分ではなかった。
【０００５】
本発明は、このような状況に鑑み成されたものであり、その課題は、被記録媒体に着弾したインクに対して電磁波を照射させてインクを硬化させる際のエネルギー効率を考慮した記録装置を提供することである。
【課題を解決するための手段】
【０００６】
上記課題を達成するため、本発明の第１の態様の記録装置は、被記録媒体を送り方向へ送る送り手段と、被記録媒体に対してノズルからインクを吐出し記録する記録ヘッドと、被記録媒体を基準とした前記記録ヘッドと同じ側であって、前記記録ヘッドより送り方向下流側に設けられ、前記インクを硬化させる電磁波を照射可能な照射部と、を備え、前記インクと前記電磁波との関係は、前記電磁波の照射により前記インクに化学反応が生じることによって前記インクが硬化する関係であり、前記照射部は、被記録媒体が送られる方向に対する幅方向において、被記録媒体より広い範囲を照射可能であり、該照射部における照射する部分が少なくとも幅方向において複数のブロックに区画されている構成であることを特徴とする。
【０００７】
ここで、電磁波によって化学変化が生じて硬化するインクの例として、光硬化型インクを挙げることができる。「光硬化型インク」とは、光の照射を受けて硬化（固化）するインクをいう。光には、紫外線、可視光線、赤外線が含まれる。例えば、紫外線の照射を受けて硬化（固化）する紫外線硬化（固化）型インク（ＵＶインク）がある。インクの溶媒が揮発して硬化（固化）する染料インクや顔料インクと比較して、硬化（固化）する際の容積（体積）変化が小さい特徴がある。技術的思想としては、電磁波によってエネルギーが付与されることによりインク中の樹脂等の成分が化学反応を起こし硬化（固化）する構成であればよい。紫外線によって硬化（固化）するインクに限らない。  
【０００８】
本態様によれば、幅方向において、広範囲の領域に着弾したインクを一度に硬化させることができる。また、送り方向における前記照射部が照射可能な範囲を広くすることにより、送り方向においても、広範囲の領域に着弾したインクを一度に硬化させることができる。その結果、従来技術の構成と比較して、エネルギー効率を向上させることができる。  
また、前記照射部における照射する部分は複数のブロックに区画されているので、ブロック毎に照射量を調整することも可能である。
【０００９】
本発明の第２の態様は、第１の態様において、前記照射部が前記照射するとき、記録データ上における前記照射しようとする箇所の単位面積当たりのインクが着弾する量に応じて、前記照射部において前記ブロック毎に照射量を変える構成であり、前記着弾する量が少ない箇所に対しては対向するブロックの前記照射量を少なくし、前記着弾する量が前記少ない箇所と比較して多い箇所に対しては対向するブロックの前記照射量を前記少ない箇所の場合と比較して多くすることを特徴とする。
【００１０】
本態様によれば、第１の態様と同様の作用効果に加え、前記照射量を前記単位面積当たりのインクが着弾する量の多少に応じて変える。従って、その箇所のインクを硬化させるために必要な分だけの電磁波をエネルギーとして照射することができる。その結果、単位面積当たりのインクが着弾する量の多い箇所と少ない箇所とにおいて同じようにインクを硬化させることができ硬化ムラがない。
【００１１】
また、単位面積当たりのインクが着弾する量が少ない箇所に対して、無駄に多い量の電磁波を照射することを防止することができるので、所謂、省エネにもなる。さらに、ブロック毎に照射量を調整する制御を行うので、例えば、電磁波の一例である紫外線を発するＬＥＤの発光量を一つ一つ制御する構成と比較して、制御が容易である。  
またさらに、前記無駄に多い量の電磁波を照射することによる弊害として、例えば、インクが収縮する量が大きくなることを防止することができる。
【００１２】
本発明の第３の態様は、第２の態様において、前記照射部の前記照射する部分は、被記録媒体の幅方向に複数行、送り方向に複数列のブロックに区画されており、前記照射部の送り方向における照射可能な範囲の距離だけ被記録媒体を送り一時停止を繰り返す間欠送りをする構成であり、前記一時停止したとき、前記照射部が前記照射する構成であることを特徴とする。  
本態様によれば、第２の態様と同様の作用効果に加え、被記録媒体における広範囲の領域のインクを一度にムラ無く硬化させることができる。また、一時停止している被記録媒体に対して前記照射する構成なので、移動中の被記録媒体に対して照射する構成と比較して、照射量を変える制御が容易である。
【００１３】
本発明の第４の態様は、第２の態様において、被記録媒体を所定の速度で連続して送る構成であり、前記照射部は、送られてくる被記録媒体におけるインクが着弾した箇所に対して、該箇所の前記着弾する量に応じて前記ブロック毎に照射量を変えながら前記照射する構成であることを特徴とする。  
本態様によれば、第２の態様と同様の作用効果に加え、送られてくる箇所を該箇所の前記着弾する量に応じて照射量を変えながらインクを順次ムラ無く硬化させることができる。送られてくる被記録媒体に対して照射するので、前記照射部を送り方向において短く設けることができる。送り方向においてブロックが一列あればよく、記録装置を小型化する場合に有効である。  
例えば、被記録媒体を所定の速度で連続して送るラインプリンターの場合に有効である。
【００１４】
本発明の第５の態様は、第１から第４のいずれか一の態様において、インクの種類に応じて、前記照射部が前記照射する電磁波の量を変える構成であることを特徴とする。  
本態様によれば、第１から第４のいずれか一の態様と同様の作用効果に加え、インクの種類に応じて硬化に必要な電磁波の照射量が異なる場合であっても、照射量を必要な量に調整して硬化ムラ無く均一に硬化させることができる。インクの種類毎に成分が異なるが、例えば、黒色インクの黒い色素は光を吸収するため、照射される光がインク滴における表面に近い箇所で吸収されてしまい、表面から遠い内部が硬化しにくい傾向がある。また、酸化チタンを使用した白色インクや、アルミニウムを使用したメタリック色系インクは、金属を使用しているため、照射される紫外線等の光をインク滴における表面に近い箇所で反射してしまい、表面から遠い内部が硬化しにくい傾向がある。これらの傾向を考慮して、インクの種類に応じて、照射量を調整することによって、硬化ムラ無く均一に硬化させることができる。
【図面の簡単な説明】
【００１５】
【図１】本実施例のプリンターの概略を示す側面図。
【図２】（Ａ）（Ｂ）は本実施例の記録部の概略を示す正面図および平面図。
【図３】（Ａ）〜（Ｃ）は本実施例の記録部の動作を示す正面図。
【図４】本実施例の記録部の動作を示す図。
【図５】他の実施例のプリンターの概略を示す側面図。
【図６】（Ａ）（Ｂ）は他の実施例の照射部のブロック毎の照射量を示す図。
【図７】（Ａ）〜（Ｄ）は他の実施例の照射部のブロック毎の照射量を示す図。
【発明を実施するための形態】
【００１６】
以下、本発明の実施の形態を図面に基づいて説明する。  
図１に示すのは、本発明に係る記録装置の一例であるプリンター１の概略を示す側面図である。  
図１に示す如く、プリンター１は、媒体送り手段２と、記録部４と、排出手段の一例である巻き取り手段１２と、を備えている。このうち、媒体送り手段２は、被記録媒体の一例であるロール媒体としてのロール紙Ｐを送り方向下流側（Ｙ軸の矢印方向）へ送ることができるように設けられている。
【００１７】
媒体送り手段２は、具体的には、送り出し手段３と、ローラー対１４とを備えている。このうち、送り出し手段３は、ロール状に巻かれたロール紙Ｐを解いて送り方向下流側へ送り出すことができるように構成されている。また、ローラー対１４は、解かれたロール紙Ｐをさらに下流側の記録部４へ送ることができるように構成されている。  
また、記録部４は、媒体送り手段２より下流側において、ロール紙Ｐに対してインクを吐出して記録を実行することができるように設けられている。
【００１８】
具体的には、記録部４は、記録ヘッドである第１記録ヘッド５および第２記録ヘッド７と、媒体支持部９と、を備えている。このうち、第１記録ヘッド５における媒体支持部９と対向する面には、インクを吐出するノズルである第１ノズル６が設けられている。同様に、第２記録ヘッド７における媒体支持部９と対向する面には、第２ノズル８が設けられている。
【００１９】
また、第１記録ヘッド５および第２記録ヘッド７は、キャリッジ１０に設けられている。そして、キャリッジ１０は、キャリッジ移動手段１５であるガイド軸１３および駆動モーターＭの動力によって、ロール紙Ｐの幅方向Ｘへ移動可能に構成されている。尚、キャリッジ１０は制御部２０によって制御されて移動する構成である。  
またさらに、媒体支持部９は、ロール紙Ｐを支持し、ロール紙Ｐと第１記録ヘッド５および第２記録ヘッド７との間の距離を所定の距離に保つことができるように設けられている。尚、Ｚ軸方向は、媒体支持部９と第１記録ヘッド５および第２記録ヘッド７とが対向する方向である。また、鉛直方向でもある。
【００２０】
また、媒体支持部９より上方における第１記録ヘッド５および第２記録ヘッド７より送り方向下流側には、インクを硬化させることができる電磁波（Ｗ）の一例である紫外線Ｗを照射可能な第１照射部１６が設けられている。第１照射部１６は、ＬＥＤ配列構造のパネル状に設けられており、ロール紙Ｐの幅より広い範囲を照射可能に構成されている。また、第１照射部１６における紫外線Ｗを照射する部分は、詳しくは後述するように少なくとも幅方向Ｘにおいて複数のブロック１６ａ、１６ｂ…に区画されている。そして、ブロック１６ａ、１６ｂ…毎に紫外線Ｗの照射量を調整することができるように構成されている。
【００２１】
また、巻き取り手段１２は、記録部４より下流側において、記録されたロール紙Ｐを巻き取ることができるように設けられている。  
尚、ロール媒体の一例としてロール紙Ｐについて説明するが、ロール紙Ｐに限らない。布（反物）やフィルムでもよいのは勿論である。また、被記録媒体は、ロール状のものに限らない。シート状の所謂、単票紙でもよい。  
続いて、第１記録ヘッド５、第２記録ヘッド７、第１照射部１６等についてより詳しく説明する。
【００２２】
図２（Ａ）（Ｂ）に示すのは、本実施例の記録部４の概略を示す正面断面図および平面図である。このうち、図２（Ａ）は送り方向下流側から上流側へ向かってみた正面断面図である。一方、図２（Ｂ）は図２（Ａ）の平面図である。尚、図２（Ｂ）では理解を容易にするためにキャリッジ１０の図示を省略する。  
図２（Ａ）に示す如く、媒体支持部９上のロール紙Ｐを基準とした一方（上方）にはキャリッジ１０が設けられている。
【００２３】
また、図２（Ａ）（Ｂ）に示す如く、キャリッジ１０が設けられている側（上方）にはパネル状の第１照射部１６が設けられている。またさらに、第１照射部１６は、キャリッジ１０より送り方向下流側に設けられている。キャリッジ１０には、前述した第１記録ヘッド５および第２記録ヘッド７に加え、インクを硬化させることができる電磁波（Ｗ）の一例である紫外線Ｗを照射可能な第２照射部１１ａ〜１１ｃ（１１）が設けられている。本実施例では、第２照射部１１は、第１記録ヘッド５と第２記録ヘッド７との間に一つ、第１記録ヘッド５と第２記録ヘッド７との外側の両側に二つの計三つ設けられている。そして、これらが一体となって、幅方向Ｘへ移動するように構成されている。
【００２４】
第１記録ヘッド５には、ロール紙Ｐに対して第１類インク（Ｌ１）を吐出する第１ノズル６が設けられている。本実施例では、シアン、マゼンタ、イエロー、ブラック等のインクＬ１を吐出する。  
一方、第２記録ヘッド７には、第２類インク（Ｌ２）を吐出する第２ノズル８が設けられている。本実施例では、白インクＬ２を吐出する。
【００２５】
ここで、「第１類インク」は、主に画像（文字、図形、模様等）の情報を形成するインクである。第２類インク（Ｌ２）と併用する場合は、見る人を上側としたとき、第２類インク（Ｌ２）の層の上となる位置に吐出されるインクである。具体的には、有彩色のインクや、白以外の無彩色のインクである。例えば、シアン、マゼンタ、イエロー、ブラック等のインクを挙げることができる。また、「第２類インク」は、白、メタル色等の下地として用いられるインクである。下地用の「第２類インク」を用いることにより、下地の上に吐出される「第１類インク」の発色をよくすることができる。  
尚、「第１類インク」のみを単独で用いてもよいのは勿論である。
【００２６】
また、本実施例のプリンター１は、第１記録モードと、第２記録モードとを有している。このうち、第１記録モードとは、先に第２類インク（Ｌ２）を吐出してから、その上に第１類インク（Ｌ１）を吐出して記録をするモードをいう。第１記録モードは、被記録媒体（Ｐ）が紙等であって、記録した面（インクを吐出した側の面）から、文字、模様、写真等を見る場合に用いる記録モードである。  
一方、第２記録モードとは、先に第１類インク（Ｌ１）を吐出してから、その上に第２類インク（Ｌ２）を吐出して記録をするモードをいう。第２記録モードは、被記録媒体（Ｐ）が透明のフィルム等であって、記録した面（インクを吐出した側の面）と反対側の面から、文字、模様、写真等を見る場合に用いる記録モードである。  
続いて、キャリッジ１０の動作と第１照射部１６の照射制御との関係について説明する。
【００２７】
図３（Ａ）〜（Ｃ）に示すのは、本実施例の記録部４の動作を示す正面断面図である。また、図４に示すのは、本実施例の記録部４の制御を示す図である。図４について説明しながら、図３（Ａ）〜（Ｃ）について説明する。尚、図３（Ａ）〜（Ｃ）では理解を容易にするためにキャリッジ１０の図示を省略する。  
図４に示す如く、ステップＳ１では、制御部２０が、現在選択されている記録モードが第１記録モードか否かを判定する。第１記録モードが選択されていると判定した場合、第１記録モードを実行するべく、ステップＳ２へ進む。一方、否と判定した場合、第２記録モードを実行するべく、ステップＳ６へ進む。
【００２８】
ステップＳ２では、図３（Ａ）に示す如く、キャリッジ１０を移動させながら、ロール紙Ｐに対して、第２記録ヘッド７の第２ノズル８から第２類インク（Ｌ２）としての白インクＬ２を吐出する。そして、ステップＳ３へ進む。  
ステップＳ３では、白インクＬ２を仮硬化させるべく、第２記録ヘッド７より移動方向後側の第２照射部１１ｂ（１１）によって紫外線Ｗを照射する。  
ここで、仮硬化とは、完全に硬化（本硬化）させる前の中途半端に硬化した状態をいう。着弾したインクの表面が完全に硬化して完全に乾いた場合と比較して、半乾きの方が、重ねてインクを吐出した場合に上側のインクの定着性をよくすることができるからである。  
そして、ステップＳ４へ進む。
【００２９】
ステップＳ４では、図３（Ｂ）に示す如く、第１記録ヘッド５の第１ノズル６から第１類インク（Ｌ１）としてのシアン、マゼンタ、イエロー、ブラック等のインクＬ１を吐出する。そして、ステップＳ５へ進む。  
ステップＳ５では、ロール紙Ｐに着弾したシアン、マゼンタ、イエロー、ブラック等のインクＬ１を仮硬化させるべく、第１記録ヘッド５より移動方向後側の第２照射部１１ａ（１１）によって紫外線Ｗを照射する。
【００３０】
尚、紫外線Ｗの照射量は、単位面積当たりのインクＬ１が着弾した量の多少に応じて、調整してもよい。具体的には、着弾した量が多い場合は照射量を多くし、着弾した量が少ない場合は照射量を少なくする。着弾した量が多いか少ないかは、記録データに基づいて対応する箇所におけるインクＬ１の吐出量から制御部２０が判断することができる。  
また、後述するように、第１照射部１６によって紫外線Ｗの照射量を調整して本硬化させるので、インクＬ１については第２照射部１１による仮硬化を省略してもよい。  
そして、ステップＳ６へ進む。
【００３１】
ステップＳ６では、ロール紙Ｐを送り方向下流側へ所定の距離だけ送る。  
ここで、所定の距離は、第１記録ヘッド５および第２記録ヘッド７と対向していたロール紙Ｐの箇所が第１照射部１６と対向するために必要な距離である。  
そして、図３（Ｃ）に示す如く、第１照射部１６によって紫外線Ｗを照射し、仮硬化されたシアン、マゼンタ、イエロー、ブラックを本硬化させる。
【００３２】
この際、第１照射部１６におけるブロック１６ａ、１６ｂ…毎に照射を切り換える制御を制御部２０が行う。また、紫外線Ｗの照射量は、前述したステップＳ５と同様、単位面積当たりのインクＬ１が着弾した量の多少に応じて、調整してもよい。具体的には、着弾した量が多い場合は照射量を多くし、着弾した量が少ない場合は照射量を少なくする。着弾した量が多いか少ないかは、記録データに基づいて対応する箇所におけるインクＬ１の吐出量から制御部２０が判断することができる。
【００３３】
その結果、単位面積当たりのインクＬ１が着弾する量の多い箇所と少ない箇所とにおいて同じようにインクＬ１を硬化させることができ硬化ムラがない。  
また、単位面積当たりのインクＬ１が着弾する量が少ない箇所に対して、無駄に多い量の紫外線Ｗを照射することを防止することができるので、所謂、省エネにもなる。  
またさらに、前記無駄に多い量の紫外線Ｗを照射することによる弊害として、例えば、インクＬ１が収縮する量が大きくなることを防止することができる。
【００３４】
さらに、インクＬ１、Ｌ２の種類に応じて、単位量当たりのインクＬ１、Ｌ２に対する照射量を調整してもよい。例えば、黒色インクの黒い色素は光を吸収するため、照射される光がインク滴における表面に近い箇所で吸収されてしまい、表面から遠い内部が硬化しにくい傾向がある。また、酸化チタンを使用した白色インクや、アルミニウムを使用したメタリック色系インクは、金属を使用しているため、照射される紫外線Ｗ等の光をインク滴における表面に近い箇所で反射してしまい、表面から遠い内部が硬化しにくい傾向がある。これらの傾向を考慮して、インクＬ１、Ｌ２の種類に応じて、照射量を調整することによって、硬化ムラ無く均一に硬化させることができる。  
ステップＳ７では、前述した第２記録モードを実行する。ここでは詳しい説明を省略する。その後、シーケンスを終了する。
【００３５】
本実施例の記録装置であるプリンター１は、被記録媒体の一例であるロール紙Ｐを送り方向Ｙへ送る送り手段である媒体送り手段２と、ロール紙Ｐに対してノズルである第１ノズル６からインクＬ１を吐出し記録する記録ヘッドである第１記録ヘッド５と、ロール紙Ｐを基準とした第１記録ヘッド５と同じ側であって、第１記録ヘッド５より送り方向下流側に設けられ、インクＬ１を硬化させる電磁波（Ｗ）の一例である紫外線Ｗを照射可能な照射部である第１照射部１６と、を備え、インクＬ１と紫外線Ｗとの関係は、紫外線Ｗの照射によりインクＬ１に化学反応が生じることによってインクＬ１が硬化する関係であり、第１照射部１６は、ロール紙Ｐが送られる方向に対する幅方向Ｘにおいて、ロール紙Ｐより広い範囲を照射可能であり、第１照射部１６における照射する部分が少なくとも幅方向Ｘにおいて複数のブロック１６ａ、１６ｂ…に区画されている構成であることを特徴とする。
【００３６】
また、本実施例において、第１照射部１６が前記照射するとき、記録データ上における前記照射しようとする箇所の単位面積当たりのインクＬ１が着弾する量に応じて、第１照射部１６においてブロック１６ａ、１６ｂ…毎に照射量を変える構成であり、前記着弾する量が少ない箇所に対しては対向するブロック１６ａ、１６ｂ…の照射量を少なくし、前記着弾する量が前記少ない箇所と比較して多い箇所に対しては対向するブロック１６ａ、１６ｂ…の照射量を前記少ない箇所の場合と比較して多くすることを特徴とする。  
またさらに、本実施例において、インクＬ１、Ｌ２の種類に応じて、第１照射部１６が前記照射する紫外線Ｗの量を変える構成であることを特徴とする。
【００３７】
［他の実施例］
図５に示すのは、他の実施例のラインプリンター３０の概略を示す側面図である。  
図５に示す如く、他の実施例の記録部３６は、送り方向上流側から下流側へ向かって順に、第１記録ヘッド３１と、第２記録ヘッド３２と、第３記録ヘッド３３とを有している。第１記録ヘッド３１〜第３記録ヘッド３３は、ロール紙Ｐの幅方向Ｘに長尺であり、ロール紙Ｐの幅より広い範囲に対してそれぞれのノズル（３１ａ〜３３ａ）からインクＬ１、Ｌ２を吐出可能に設けられている。このうち、第１記録ヘッド３１は、ノズル３１ａから白インクＬ２を吐出する。また、第２記録ヘッド３２は、ノズル３２ａからシアン、マゼンタ、イエロー、ブラック等のインクＬ１を吐出する。またさらに、第３記録ヘッド３３は、ノズル３３ａから白インクＬ２を吐出する構成である。
【００３８】
また、ロール紙Ｐを基準とした第１記録ヘッド３１〜第３記録ヘッド３３が設けられている側には、インクＬ１、Ｌ２を硬化させる紫外線Ｗを照射可能な第１照射部３４、第２照射部３５および第３照射部３９の三つが設けられている。このうち、第１照射部３４は、第１記録ヘッド３１と第２記録ヘッド３２との間に設けられ、第１記録ヘッド３１から吐出されたインクＬ２が着弾した箇所に対して紫外線Ｗを照射することができるように構成されている。同様に、第２照射部３５は、第２記録ヘッド３２と第３記録ヘッド３３との間に設けられ、第２記録ヘッド３２から吐出されたインクＬ１が着弾した箇所に対して紫外線Ｗを照射することができるように構成されている。さらに同様に、第３照射部３９は、第３記録ヘッド３３の下流側に設けられ、第３記録ヘッド３３から吐出されたインクＬ２が着弾した箇所に対して紫外線Ｗを照射することができるように構成されている。
【００３９】
またさらに、第１照射部３４〜第３照射部３９は、第１記録ヘッド３１〜第３記録ヘッド３３と同様に幅方向Ｘに長尺であり、ロール紙Ｐの幅より広い第１記録ヘッド３１〜第３記録ヘッド３３のインク吐出可能な範囲に対して紫外線Ｗを照射することができるように設けられている。さらに、第１照射部３４〜第３照射部３９における照射する部分は、詳しくは後述するように、少なくとも幅方向Ｘにおいて複数のブロック３７ａａ、３７ａｂ…、３７ｂａ、３７ｂｂ…、３７ｃａ…（連続送り構成では３８ａ、３８ｂ…）に区画されている（図６および図７参照）。  
尚、その他の構成については、前述した実施例と同様であるので、同じ符号を用いることとし、その説明は省略する。
【００４０】
前述した第１記録モードの場合、ロール紙Ｐに対して第１記録ヘッド３１から白インクＬ２を吐出し、第１照射部３４によって紫外線Ｗを照射し、白インクＬ２を仮硬化させる。その後、第２記録ヘッド３２からシアン、マゼンタ、イエロー、ブラック等のインクＬ１を吐出し、第２照射部３５によって紫外線Ｗを照射し、白インクＬ２およびシアン、マゼンタ、イエロー、ブラック等のインクＬ１を本硬化させる。
【００４１】
一方、前述した第２記録モードの場合、透明なロール媒体（Ｐ）に対して第２記録ヘッド３２からシアン、マゼンタ、イエロー、ブラック等のインクＬ１を吐出し、第２照射部３５によって紫外線Ｗを照射し、シアン、マゼンタ、イエロー、ブラック等のインクＬ１を仮硬化させる。その後、第３記録ヘッド３３から白インクＬ２を吐出する。そして、第３照射部３９から紫外線Ｗを白インクＬ２に対して照射して硬化させる。このとき、シアン、マゼンタ、イエロー、ブラック等のインクＬ１に対して十分な量の紫外線Ｗを照射して本硬化させることが可能である。
【００４２】
尚、第１照射部３４〜第３照射部３９の三つを設けたが、三つに限らない。一つでもよいし、二つでもよい。他の実施例において、三つ設けた理由は、記録ヘッド（３１〜３３）からインクが吐出される度にインクを硬化させるためである。仮硬化と本硬化とを分けない構成とするならば、照射部は一つでもよい。  
また、単位面積当たりの着弾するインクＬ１、Ｌ２の量に応じて照射量を調整することや、インクＬ１、Ｌ２の種類に応じて照射量を調整することは、前述した実施例と同様である。その説明は省略する。  
続いて、他の実施例における第２照射部３５のブロック３７ａａ、３７ａｂ…、３７ｂａ、３７ｂｂ…、３７ｃａ…（連続送りの場合は３８ａ、３８ｂ…）毎の制御について説明する。  
【００４３】
［間欠送りの場合］
図６（Ａ）（Ｂ）は他の実施例の第２照射部３５のブロック３７ａａ、３７ａｂ…、３７ｂａ、３７ｂｂ…、３７ｃａ…毎の照射量を示す図である。このうち、図６（Ａ）はロール紙Ｐに着弾したインクＬ１（Ｌ２）の分布とその単位面積当たりのインクＬ１（Ｌ２）の量を示す平面図である。一方、図６（Ｂ）はロール紙Ｐ側から見たパネル状の第１照射部３４のブロック３７ａａ、３７ａｂ…、３７ｂａ、３７ｂｂ…、３７ｃａ…毎の照射量を示す底面図である。
【００４４】
尚、図６（Ａ）における色の濃度が比較的濃く見える箇所（ドット径が大きい箇所）が単位面積当たりの着弾したインクＬ１（Ｌ２）の量が比較的多い箇所である。一方、色の濃度が比較的薄く見える箇所（ドット径が小さい箇所）が単位面積当たりの着弾したインクＬ１（Ｌ２）の量が比較的少ない箇所である。  
同様に、図６（Ｂ）における色の濃度が比較的濃く見える箇所（ドット径が大きい箇所）が紫外線Ｗの照射量が比較的多い箇所である。一方、色の濃度が比較的薄く見える箇所（ドット径が小さい箇所）が紫外線Ｗの照射量が比較的少ない箇所である。
【００４５】
ロール紙Ｐが間欠送りされる構成の場合、第２照射部３５の照射する部分は、幅方向Ｘに複数行、送り方向Ｙに複数列のブロック３７ａａ、３７ａｂ…、３７ｂａ、３７ｂｂ…、３７ｃａ…に区画されている（図６（Ｂ）参照）。  
ここで、「間欠送り」とは、媒体送り手段２がロール紙Ｐを送り方向Ｙに所定量だけ送り一時停止を繰り返す送り方をいう。一時停止したときに、記録部３６がロール紙Ｐに対して記録を実行する構成である。  
そして、媒体送り手段２は、第２照射部３５の送り方向Ｙにおける照射可能な範囲の距離だけロール紙Ｐを送り一時停を繰り返す。
【００４６】
例えば、図６（Ａ）に示す如く、前記一時停止したときに、ロール紙Ｐにおける第２照射部３５の照射可能な範囲と同じ大きさの範囲の一部または全部にインクＬ１が吐出されたとする。そして、ロール紙Ｐが間欠送りされることにより、該範囲が第２照射部３５と対向する位置まで移動し、一時停止する。  
この際、図６（Ｂ）に示す如く、制御部２０は、記録データに基づいて、前記範囲のインクＬ１の分布および単位面積当たりの着弾したインクＬ１の量を判断し、パネル状の第２照射部３５のブロック３７ａａ、３７ａｂ…、３７ｂａ、３７ｂｂ…、３７ｃａ…毎に紫外線Ｗの照射量を調整する。
【００４７】
具体的には、前述したように、インクＬ１が着弾した箇所に対向するブロック３７ａａ、３７ａｂ…、３７ｂａ、３７ｂｂ…、３７ｃａ…の照射量を、該着弾した箇所の単位面積当たりのインクＬ１の量に応じて調整する。単位面積当たりの着弾したインク量が多い箇所に対しては、照射量を多くし、前記インク量が少ない箇所に対しては、照射量を少なくする。そして、前記範囲が第２照射部３５と対向する位置で一時停止したとき、第２照射部３５をブロック３７ａａ、３７ａｂ…、３７ｂａ、３７ｂｂ…、３７ｃａ…毎に照射量を調整し、カメラのフラッシュをたくようにして、紫外線Ｗを一度に照射する。
【００４８】
その結果、一度に広い範囲に着弾したインクＬ１をムラ無く均一に硬化させることができる。  
尚、第１照射部３４および第３照射部３９についても同様にインク量に応じて照射量を調整し、一度に広い範囲に着弾したインクＬ２をムラ無く均一に硬化させることができる。
【００４９】
他の実施例の記録装置であるラインプリンター３０は、ロール紙Ｐを送り方向Ｙへ送る媒体送り手段２と、ロール紙Ｐに対してノズル３２ａからインクＬ１を吐出し記録する記録ヘッドである第２記録ヘッド３２と、ロール紙Ｐを基準とした第２記録ヘッド３２と同じ側であって、第２記録ヘッド３２より送り方向下流側に設けられ、インクＬ１を硬化させる紫外線Ｗを照射可能な照射部である第２照射部３５と、を備え、インクＬ１と紫外線Ｗとの関係は、紫外線Ｗの照射によりインクＬ１に化学反応が生じることによってインクＬ１が硬化する関係であり、第２照射部３５は、ロール紙Ｐが送られる方向に対する幅方向Ｘにおいて、ロール紙Ｐより広い範囲を照射可能であり、第２照射部３５における照射する部分が少なくとも幅方向Ｘにおいて複数のブロック３７ａａ、３７ａｂ…、３７ｂａ、３７ｂｂ…、３７ｃａ…（連続送り構成では３８ａ、３８ｂ…）に区画されている構成であることを特徴とする。
【００５０】
また、他の実施例における間欠送りの場合、第２照射部３５の前記照射する部分は、ロール紙Ｐの幅方向Ｘに複数行、送り方向Ｙに複数列のブロック３７ａａ、３７ａｂ…、３７ｂａ、３７ｂｂ…、３７ｃａ…に区画されており、第２照射部３５の送り方向Ｙにおける照射可能な範囲の距離だけロール紙Ｐを送り一時停止を繰り返す間欠送りをする構成であり、前記一時停止したとき、第２照射部３５が前記照射する構成であることを特徴とする。
【００５１】
［連続送りの場合］
図７（Ａ）〜（Ｄ）に示すのは、他の実施例の第２照射部３５のブロック３８ａ、３８ｂ…毎の照射量を示す図である。このうち、図７（Ａ）はロール紙Ｐに着弾したインクＬ１の分布とその単位面積当たりのインクＬ１の量を示す平面図である。また、図７（Ｂ）はロール紙Ｐ側から見たパネル状の第２照射部３５のブロック３８ａ、３８ｂ…毎の照射量を示す底面図である。またさらに、図７（Ｃ）（Ｄ）は図７（Ａ）（Ｂ）のときの状態からロール紙Ｐが送り方向下流側へ送られたときの状態を示す平面図および底面図である。
【００５２】
尚、図７（Ａ）（Ｃ）における色の濃度が比較的濃く見える箇所（ドット径が大きい箇所）が単位面積当たりの着弾したインクＬ１の量が比較的多い箇所である。一方、色の濃度が比較的薄く見える箇所（ドット径が小さい箇所）が単位面積当たりの着弾したインクＬ１の量が比較的少ない箇所である。  
同様に、図７（Ｂ）（Ｄ）における色の濃度が比較的濃く見える箇所（ドット径が大きい箇所）が紫外線Ｗの照射量が比較的多い箇所である。一方、色の濃度が比較的薄く見える箇所（ドット径が小さい箇所）が紫外線Ｗの照射量が比較的少ない箇所である。
【００５３】
ロール紙Ｐが連続送りされる構成の場合、第２照射部３５の照射する部分は、幅方向Ｘに複数のブロック３８ａ、３８ｂ…に区画されている（図７（Ｂ）（Ｄ）参照）。  
ここで、「連続送り」とは、媒体送り手段２がロール紙Ｐを送り方向Ｙに等速度で連続して送る送り方をいう。等速度で送られることにより移動するロール紙Ｐに対して記録部３６が記録を実行する構成である。  
そして、媒体送り手段２は、等速度でロール紙Ｐを送り方向下流側へ送る。
【００５４】
例えば、記録部３６が等速度で移動するロール紙Ｐに対してインクＬ１を吐出し、図７（Ａ）に示す画像が記録されたとする。そして、ロール紙Ｐが連続送りされることにより、画像の一部が第２照射部３５と対向する位置まで移動する。  
この際、図７（Ｂ）に示す如く、制御部２０は、記録データに基づいて、ロール紙Ｐの画像におけるインクＬ１の分布および単位面積当たりの着弾したインクＬ１の量を判断し、パネル状の第２照射部３５をブロック３８ａ、３８ｂ…毎に紫外線Ｗの照射量を調整する。具体的には、前述したように、インクＬ１が着弾した箇所に対向するブロック３８ａ、３８ｂ…の照射量を、該着弾した箇所の単位面積当たりのインクＬ１の量に応じて調整する。単位面積当たりの着弾したインク量が多い箇所に対しては、照射量を多くし、前記インク量が少ない箇所に対しては、照射量を少なくする。
【００５５】
そして、図７（Ｃ）に示す如く、ロール紙Ｐが等速度で移動する。これに伴い、図７（Ｄ）に示す如く、制御部２０は、第２照射部３５の各ブロック３８ａ、３８ｂ…が対向する箇所における単位面積当たりのインクＬ１の量に応じて、紫外線Ｗの照射量を変える。具体的には、前記対向する箇所の単位面積当たりの着弾したインク量が増加したとき、照射量を増加させる。一方、前記対向する箇所の単位面積当たりの着弾したインク量が減少したとき、照射量を減少させる。
【００５６】
その結果、着弾したインクＬ１を連続してムラ無く均一に硬化させることができる。  
また、連続送りの場合、第２照射部３５のブロック３８ａ、３８ｂ…は、送り方向Ｙに一列あればよい。従って、ラインプリンター３０を、間欠送りの構成と比較して、コンパクトにすることができる。  
尚、第１照射部３４および第３照射部３９についても同様にインク量に応じて照射量を調整し、着弾したインクＬ２を連続してムラ無く均一に硬化させることができる。
【００５７】
他の実施例における連続送りの場合、ロール紙Ｐを所定の速度で連続して送る構成であり、第２照射部３５は、送られてくるロール紙ＰにおけるインクＬ１が着弾した箇所に対して、該箇所の前記着弾する量に応じてブロック３８ａ、３８ｂ…毎に照射量を変えながら前記照射する構成であることを特徴とする。
【００５８】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００５９】
１  プリンター、２  媒体送り手段、３  送り出し手段、４  記録部、
５  第１記録ヘッド、６  第１ノズル、７  第２記録ヘッド、８  第２ノズル、
９  媒体支持部、１０  キャリッジ、１１  第２照射部、１２  巻き取り手段、
１３  ガイド軸、１４  ローラー対、１５  キャリッジ移動手段、
１６  第１照射部、１６ａ、１６ｂ…  ブロック、２０  制御部、
３０  （他の実施例の）ラインプリンター、３１  第１記録ヘッド、３１ａ  ノズル、
３２  第２記録ヘッド、３２ａ  ノズル、３３  第３記録ヘッド、３３ａ  ノズル、
３４  第１照射部、３５  第２照射部、３６  記録部、
３７ａａ、３７ａｂ…、３７ｂａ、３７ｂｂ…、３７ｃａ…（間欠送り構成）ブロック、
３８ａ、３８ｂ…、（連続送り構成）ブロック、３９  第３照射部、
Ｌ１  カラーインク（画像形成用の第１類インク）、
Ｌ２  白インク（下地処理用の第２類インク）、Ｍ  駆動モーター、Ｐ  ロール紙、
Ｗ  紫外線（電磁波）、Ｘ  幅方向、Ｙ  送り方向、Ｚ  鉛直方向
【図１】
2012143958.tif 000003
【図２】
2012143958.tif 000004
【図３】
2012143958.tif 000005
【図４】
2012143958.tif 000006
【図５】
2012143958.tif 000007
【図６】
2012143958.tif 000008
【図７】
2012143958.tif 000009